(57)【特許請求の範囲】
【請求項１】
内部に空間部を有する人工魚礁と、貝殻群をモルタルにより相互に一体化して内部に多数の空洞部を備えた多孔質状の餌料培養層とを具備し、前記人工魚礁は、枠状に形成された天板ブロックとこの天板ブロックにより一体化された複数の支持脚を備えたコンクリート製の魚礁ブロックと、枠状に形成された天端部とこの天端部により一体化された複数の支持脚を備えた鉄骨構造の魚礁枠体とで構成され、前記魚礁枠体の支持脚が天板ブロックの上面側に固定されるとともに、前記魚礁枠体の上面側に前記餌料培養層を収納する網体からなる複数の網籠を位置決めして配列する複数の収容枠を相互に連結して一体化するとともに、前記空間部は魚礁枠体側空間層と魚礁ブロック側空間層とからなり、もって上側より餌料培養層と魚礁枠体側空間層と魚礁ブロック側空間層とからなるとともに、少なくとも各収容枠の内側に前記空間部と連通する開口部を設けたことを特徴とする餌料培養礁を備えた人工魚礁。
【請求項２】
前記収容枠を前記魚礁枠体の天端部より外側に突出して設けたことを特徴とする請求項１記載の餌料培養礁を備えた人工魚礁。
【発明の詳細な説明】
【０００１】
【発明の属する技術分野】
本発明は、多毛類，小型甲殻類等の微小動物を増殖させ、これらの微小動物を餌料とする魚を蝟集して継続的に滞留させることを目的とした餌料培養礁及び餌料培養礁を備えた人工魚礁に関する。
【０００２】
【従来の技術】
一般に、内湾浅海の砂浜海底では光合成により顕花植物のアマモ，コアマモなどが生長し、これが繁茂してアマモ場を形成する。このようなアマモ類が密生した藻場には、ウニ，サザエ，アワビ等の海洋生物が付着し、また、海藻類が作り出す複雑な空間に多毛類，小型甲殻類等の微小動物が棲息し、さらには、これらの微小動物を餌料とする種々の魚が蝟集する。特に、藻場には、前述した多毛類，小型甲殻類等を餌料とする例えばクロダイ，アイナメ，スズキ，メバル等の有用魚類の稚魚，未成魚等が蝟集することから、有用魚類の稚魚等の育成場として重要な機能を有している。ところで、前述したように、アマモなどは、光合成により生長することから、成育に適した水深には限度があり、比較的水深の浅い沿岸の浅海域でしかアマモが密生した藻場が発達しない。このため、深い水深帯では有用魚類等の稚魚等の育成場ができにくい環境にある。このような深い水深帯において有用魚類の稚魚の育成を人工的に造成するには、まず、餌料となる多毛類，小型甲殻類等の微小動物が繁殖可能な環境を作り出す必要があり、近年、餌料となる多毛類，小型甲殻類等を繁殖させるための人工魚礁が種々開発されている。例えば、特開平６−１４１７２７号、特公平６−７７４９３号、特開平７−２３６３８５号公報等には、網体にカキ等の貝殻を充填し、貝殻の隙間に多毛類，小型甲殻類等を繁殖させる人工魚礁用集魚ケースが提案されている。しかし、これらの集魚ケースは、単に網体に多数の貝殻を充填するものであり、潮流が速い海域や波浪の大きな海域では、網体の内部に充填したカキ殻が相互にぶつかり合って壊れやすく、壊れたカキ殻の破片が網体から流失しまい、長期間に渡って多毛類，小型甲殻類等の繁殖機能を維持できないという問題がある。
【０００３】
また、特公平５−４８０９２号公報等では、カキ殻等を充填した集魚ケースをスチール製枠組からなる魚礁枠体の上面側に取り付け、餌料増殖させる集魚ケースとこの集魚ケースに蝟集する魚類の魚巣機能を兼ね備えた人工魚礁も提案されているが、前述したように潮流が速い海域や波浪の大きな海域においては、スチール製枠組からなる鉄骨構造の魚礁枠体では、重量的に軽いことから、波浪エネルギーによって転倒する危険があり、このような人工魚礁の転倒によって強度的に弱い網体が破壊され、早期に餌料の繁殖機能を失うことになる。
【０００４】
本発明は上記課題に基いてなされたものであり、有用魚類の餌料を増殖させて効果的に魚を蝟集することができるとともに、貝殻の流失を防止して長期に渡って有用魚類の餌料となる多毛類，小型甲殻類等を増殖させることができる餌料培養礁を備えた人工魚礁を提供することを目的とする。また、本発明は、潮流，波浪に対して転倒することなく、魚礁ブロックを海底に安定的に設置することができる餌料培養礁を備えた人工魚礁を提供することを目的とする。
【０００５】
【課題を解決するための手段】
請求項１記載の餌料培養礁を備えた人工魚礁は、内部に空間部を有する人工魚礁と、貝殻群をモルタルにより相互に一体化して内部に多数の空洞部を備えた多孔質状の餌料培養層とを具備し、前記人工魚礁は、枠状に形成された天板ブロックとこの天板ブロックにより一体化された複数の支持脚を備えたコンクリート製の魚礁ブロックと、枠状に形成された天端部とこの天端部により一体化された複数の支持脚を備えた鉄骨構造の魚礁枠体とで構成され、前記魚礁枠体の支持脚が天板ブロックの上面側に固定されるとともに、前記魚礁枠体の上面側に前記餌料培養層を収納する網体からなる複数の網籠を位置決めして配列する複数の収容枠を相互に連結して一体化するとともに、前記空間部は魚礁枠体側空間層と魚礁ブロック側空間層とからなり、もって上側より餌料培養層と魚礁枠体側空間層と魚礁ブロック側空間層とからなるとともに、少なくとも各収容枠の内側に前記空間部と連通する開口部を設けたものである。
【０００６】
上記のように構成される餌料培養礁を備えた人工魚礁は、魚礁枠体がその支持脚において天板ブロックの上面側に固定されることにより、魚礁ブロックの支持脚の内側に形成される空間部と魚礁枠体の支持脚の内側に形成される空間部とが連通することにより魚礁枠体側空間層及び魚礁ブロック側空間層とからなる空間部を形成することができる。これにより、餌料培養層で増殖した餌料により餌料培養層の周囲に小魚類が蝟集し、さらに餌料培養層に蝟集する小魚類を餌料とする底棲型魚類が魚礁ブロックと魚礁枠体とにより形成される魚礁枠体側空間層及び魚礁ブロック側空間層とからなる空間部に継続的に滞留し、人工魚礁の空間部が魚類の育成域として機能する。また、人工魚礁を藻が成育しにくい深い水深帯に沈設しても、餌料培養礁が魚礁ブロックと魚礁枠体によって嵩上げされ、餌料培養層を藻の成育に適した水深帯に保持することができるため、餌料培養層に藻が着生し、有用魚類の稚魚などが繁殖する藻場として機能する。さらに、コンクリート製の魚礁ブロックと鋼材から成る魚礁枠体といった異種材料を組み合わせることによって、波浪エネルギーに対抗できる重量を確保できるとともに、下部側に位置する魚礁ブロックにより人工魚礁の重心が安定し、潮流が速い海域あるいは波浪の大きな海域でも人工魚礁が転倒することなく長期に渡って安定状態で設置でき、人工魚礁の転倒による網籠の破壊も防止できる。また、網籠の内部に収納した貝殻をモルタルで一体化することにより、潮流，波浪による貝殻の流失を防ぐことができ、長期に渡って堅牢で、餌料培養層としての機構を維持できる。また、魚礁枠体の上面側に固定される複数の収容枠によって、人工魚礁への網籠の組み付けが容易であるとともに、餌料培養礁に蝟集する魚類が開口部を通って人工魚礁の空間部を回遊することができ、人工魚礁の魚巣機能も高まる。
【０００７】
また、請求項２記載の餌料培養礁を備えた人工魚礁は、前記請求項１項において、前記収容枠を前記魚礁枠体の天端部より外側に突出して設けたものである。このため、有用魚類の餌料を増殖させて効果的に魚を蝟集することができる。
【０００８】
【発明の実施形態】
以下、本発明の第１実施例について詳細に説明する。図１から図３は本発明の第１実施例による餌料培養礁を備えた人工魚礁を示しており、本実施例ではコンクリート製の魚礁ブロック30と鉄骨構造の魚礁枠体40とからなる人工魚礁50に餌料培養礁１を取り付けるものである。本実施例における魚礁ブロック30は、図１に示すように、中央部に円筒型ブロック31を配し、その円筒型ブロック31の外周面に互いに直交するように倒コ字型に形成された四本の支持脚32を放射状に連設して円筒型ブロック31の周縁部に支持脚32を十字型に配し、これら支持脚32を矩形枠状に形成された天板ブロック33により一体化している。そして、天板ブロック33の上面側には前記魚礁枠体40をアンカーボルト40Ａによって固定する。魚礁枠体40は鋼材からなる四本の支持脚41と、これら支持脚41を相互に一体化する矩形枠状の天端部42とを備え、魚礁枠体40の剛性を高めるために支持脚41と天端部42とを傾斜した補強用鉄骨43で連結した構造となっている。また、魚礁ブロック30の中央部に配置される前記円筒型ブロック31は空洞状に形成され、この円筒型ブロック31の内部にコンクリート45を充填することにより、人工魚礁50の全重量を調整するようにしている。
【０００９】
また、前記魚礁枠体40の天端部42の上面側には前記餌料培養礁１を取り付けるための収容枠46が天端部42より外側に突出して固定されており、この収容枠46の内部に網体５で構成した網籠47を収納する。この網籠47に内部には、モルタルによって一体化した多数のカキの貝殻からなる餌料培養層（図示せず）を収納する。なお、前記収容枠46は、前記天端部42の一辺中央部にそれぞれ固定され、その計四つの収容枠46が天端部42に固定され、さらに、その各収容枠46の内部に四つの網籠47が収納されている。すなわち、本実施例においては、一体化したカキの貝殻（図示せず）を収納した四つの網籠47を収容枠46に組み付けてユニット化し、その収容枠46を集合させて餌料を繁殖させる餌料培養礁１を構成している。また、前記天端部42に固定される四つの収容枠46は、その各収容枠46の内側両角部を互いに接合する形で十字型に連結され、このように一体化した各収容枠46は、さらに、天端部42に固定した収容枠46の隣接角部と前記支持脚41とを補強用鉄骨48によって一体的に連結している。そして、このように、各収容枠46を十字型に連結することにより、各収容枠46の中央部が抜かれた開口部51が形成され、さらに、前記天端部42の周縁四隅に位置して天端部42と各収容枠46で囲まれた正方形の開口部52が形成される。これら各開口部51，52が魚礁ブロック30及び魚礁枠体40の内側に形成される空間部60と連通する。なお、一体化したカキの貝殻（図示せず）を収納する網籠47は、深さが５００ｍｍで、幅と長さが７５０ｍｍに設定され、上面が開口することなく網蓋53で塞ぐものである。また、各収容枠46に収容される四つの網籠47は、各収容枠46の四隅に固定され、各収容枠46の内側には各網籠47を位置決めする仕切り枠55が設けてある。なお、図中、符号61は魚礁ブロック30を沈設する際、ワイヤーロープ62を掛け止めするためのフックであり、前記各支持脚32の上面側に固定されている。
【００１０】
以上のように構成される本実施例は、多数のカキの貝殻を網籠47に収納して網蓋52で塞いだ後、モルタルで一体化するか、あるいは予めモルタルで一体化したカキの貝殻を網籠47に収納した後、網籠47を網蓋52で塞ぐ。そして、図４に示すようにこの網籠47の内部に収納される餌料培養層15の表面には複雑な隆起部20が形成され、さらに、各貝殻16間の隙間に多数に空洞部21が形成され、これらの空洞部21によって多孔質状に形成される。この場合、各貝殻16間の空洞部21は、配列、形状、大きさ等に規則性はないため、前記多孔質状の餌料培養層15の内部は、複雑に入り組んだ迷路状となっている。したがって、魚礁枠体40に取り付けた収容枠46にこのような網籠47をそれぞれ固定することにより、内部に多数の空洞部を有する多孔質状の餌料培養層が人工魚礁50の上方に形成される。また、人工魚礁50を沈設する前に予め人工魚礁50を設置する海域の潮流の速さ、波浪の大きさに応じて円筒型ブロック31にコンクリート45を充填することによって、人工魚礁50の重量を調整する。そして、収容枠46間に形成する開口部51にワイヤーロープ61を通して支持脚32に取り付けたフック61にワイヤーロープ62を引っ掛けて人工魚礁50を吊り上げ、所定の海域に人工魚礁50を沈設する。こうして魚礁ブロック30，魚礁枠体40に餌料培養礁１を取り付けた人工魚礁50を海底に沈設することにより、多毛類，小型甲殻類等を餌料培養層15で増殖させ、これを餌料とする有用魚類の稚魚などが餌料培養礁１の周囲に蝟集する。また、本実施例では四つの網籠47を収納した収容枠46を十字型に連結して複数の網籠47を集合させて餌料培養礁１による餌料培養層を構成し、この餌料培養層の下側に魚礁枠体側空間層と魚礁ブロック側空間層とからなる空間部60を形成したものであるから、餌料培養礁１の周囲により多く魚類が蝟集し、さらに、これらの小魚を餌料とする主に海底付近に棲息する底棲大型魚類が蝟集する。こうした餌料培養礁１の周囲に蝟集する種々の魚類が人工魚礁50の内側に形成される空間部60に継続的に滞留し、空間部60が魚類の育成域として機能する。また、本実施例においては、餌料培養礁１を収納する収容枠46が、天端部42の開口部分を閉塞する形で配置するのではなく、十字型に連結することにより、収容枠46の内側及び天端部42の四隅に空間部60と連通する開口部51，52が形成され、この各開口部51，52を通って魚類が遊泳し、人工魚礁50の魚礁効果を高めることができる。
【００１１】
また、餌料培養層たる餌料培養礁１は魚礁ブロック30の支持脚32及び魚礁枠体40の支持脚41によって嵩上げされ、魚礁ブロック30を藻類の成育しにくい深い水深帯に沈設したとしても、支持脚32及び支持脚41によって支持される餌料培養層を藻の成育に適した水深帯に保持することができる。このため、餌料培養層に藻が着生し、藻場を造成することができ、有用魚類の稚魚などの繁殖環境を広げることができる。
【００１２】
また、人工魚礁50はコンクリート製の魚礁ブロック30と鋼材から成る魚礁枠体40といった異種材料を組み合わせて構成され、波浪エネルギーに対抗できる重量を確保できるとともに、下部側に位置するコンクリート製の魚礁ブロック30により人工魚礁50の重心が安定し、潮流が速い海域あるいは波浪の大きな海域に魚礁ブロック30を沈設しても魚礁ブロック30が移動したり、あるいは転倒することなく長期に渡って安定状態で設置できる。また、網籠47の内部に収納した貝殻をモルタルで一体化することにより、潮流，波浪による貝殻の流失を防ぐことができるとともに、前述したように魚礁ブロック30の転倒によって網籠47が破損することもないため、長期に渡って堅牢な構造であり、餌料培養層15としての機構を維持できる。さらに、円筒型ブロック31に充填するコンクリート45の量によって魚礁ブロック30を設置する海域、地域の潮流，波浪に応じて人工魚礁40全体の重量を簡単に調整することができる。
【００１３】
図５及び図６は、本発明の第２実施例を示し、前記第１実施例を同一機能を有する部分には同一符号を付し、重複する部分の説明を省略して異なる部分についてのみ説明する。
【００１４】
本実施例では十字型に連結した収容枠46の上方側にさらに収容枠65を配置して人工魚礁40に上下二段の餌料培養層15を積層状態で配置させている。なお、上部に位置する収容枠65は、各収容枠46の交点部となる開口部51の周縁角部から立設した支持枠66に固定されている。すなわち、上部の収容枠65は、下段の各収容枠46と間隔をおいて各収容枠46の内側に形成する開口部51を閉塞するように固定され、十字型に連結された各収容枠46と、この各収容枠46の上方側に位置する収容枠65とが重なり合うことなく、段差状に配置される。したがって、本実施例において、収容枠65を増やすことによって、より効率的に餌料を増殖させて魚類の蝟集効果を高めることができる。しかも、十字型に連結された各収容枠46と上方側に位置する収容枠65との間には支持枠66による空間部67が形成され、人工魚礁40の空間部60のみならず上下の支持枠46，66との間にも魚類の育成域として空間部67を形成することができる。
【００１５】
以上、本発明の実施例について詳述したが、本発明は前記各実施例に限定されるものではなく、本発明の要旨の範囲内で種々の変形実施が可能である。例えば、各実施例においる収納籠や網籠の材質、形状、外形寸法等などの基本的構造は適宜選定すればよい。また、収納籠に充填する貝殻としてカキを例示したが、カキに限らず、サザエやホタテなどの各種の貝殻を用いてもよい。さらに必ずしも単一の貝の殻を充填するのではなく、複数種の貝殻を収納籠に充填し、これを一体化してもよい。また、第１実施例において人工魚礁に取り付ける四つ収容枠を放射状である十字型に連結した例を示したが、三つの収容枠を放射状に連結したあるいは六つの収容枠を放射状に連結し、これら収容枠の内側に三角形あるいは六角形の開口部を形成してもよく、収容枠の個数及び配置あるいは、この収容枠に収納する網籠の個数及び配置なども前記実施例に限定されるものではない。
【００１６】
【発明の効果】
請求項１の餌料培養礁を備えた人工魚礁は、内部に空間部を有する人工魚礁と、貝殻群をモルタルにより相互に一体化して内部に多数の空洞部を備えた多孔質状の餌料培養層とを具備し、前記人工魚礁は、枠状に形成された天板ブロックとこの天板ブロックにより一体化された複数の支持脚を備えたコンクリート製の魚礁ブロックと、枠状に形成された天端部とこの天端部により一体化された複数の支持脚を備えた鉄骨構造の魚礁枠体とで構成され、前記魚礁枠体の支持脚が天板ブロックの上面側に固定されるとともに、前記魚礁枠体の上面側に前記餌料培養層を収納する網体からなる複数の網籠を位置決めして配列する複数の収容枠を相互に連結して一体化するとともに、前記空間部は魚礁枠体側空間層と魚礁ブロック側空間層とからなり、もって上側より餌料培養層と魚礁枠体側空間層と魚礁ブロック側空間層とからなるとともに、少なくとも各収容枠の内側に前記空間部と連通する開口部を設けたものであるので、魚礁ブロックの支持脚の内側に形成される空間部と魚礁枠体の支持脚の内側に形成される空間部とが連通することにより、魚礁ブロック側空間層及び魚礁枠体側空間層とからなる空間部を形成することができるから、餌料培養層で増殖した餌料により餌料培養層の周囲に小魚類が蝟集し、さらに餌料培養層に蝟集する小魚類を餌料とする底棲型魚類が魚礁ブロックと魚礁枠体とにより形成される魚礁枠体側空間層及び魚礁ブロック側空間層とからなる空間部に継続的に滞留し、人工魚礁の空間部が魚類の育成域として機能する。また、人工魚礁を藻が成育しにくい深い水深帯に沈設しても、餌料培養礁が魚礁ブロックと魚礁枠体によって嵩上げされ、餌料培養層を藻の成育に適した水深帯に保持することができるため、餌料培養層に藻が着生し、有用魚類の稚魚などが繁殖する藻場として機能する。さらに、コンクリート製の魚礁ブロックと鋼材から成る魚礁枠体といった異種材料を組み合わせることによって、波浪エネルギーに対抗できる重量を確保できるとともに、下部側に位置する魚礁ブロックにより人工魚礁の重心が安定し、潮流が速い海域あるいは波浪の大きな海域でも人工魚礁が転倒することなく長期に渡って安定状態で設置でき、人工魚礁の転倒による網籠の破壊も防止できる。また、網籠の内部に収納した貝殻をモルタルで一体化することにより、潮流，波浪による貝殻の流失を防ぐことができ、長期に渡って堅牢で、餌料培養層としての機構を維持できる。また、魚礁枠体の上面側に固定される複数の収容枠によって、人工魚礁への網籠の組み付けが容易であるとともに、餌料培養礁に蝟集する魚類が開口部を通って人工魚礁の空間部を回遊することができ、餌料培養礁の周囲により多くの魚類が蝟集可能となっている。
【００１７】
さらに、請求項２記載の餌料培養礁を備えた人工魚礁は、前記請求項１において、前記魚礁枠体の天端部より外側に突出して設けたものであるので、有用魚類の餌料を増殖させて効果的に魚を蝟集することができる。
【図面の簡単な説明】
【図１】本発明の第１実施例を示す餌料培養礁を備えた人工魚礁の斜視図である。
【図２】同上餌料培養礁を備えた人工魚礁の一部を切り欠いた正面図である。
【図３】同上餌料培養礁を備えた人工魚礁の平面図である。
【図４】餌料培養層の一部を拡大した正面図である。
【図５】本発明の第２実施例を示す餌料培養礁を備えた人工魚礁の斜視図である。
【図６】同上餌料培養礁を備えた人工魚礁の一部を切り欠いた正面図である。
【符号の説明】
１  餌料培養礁
30  魚礁ブロック
40  魚礁枠体
46，65  収容枠
47  網籠
50  人工魚礁
51，52  開口部
60，67  空間部
【図１】
0003598514.tif 000002
【図２】
0003598514.tif 000003
【図３】
0003598514.tif 000004
【図４】
0003598514.tif 000005
【図５】
0003598514.tif 000006
【図６】
0003598514.tif 000007